(57)【要約】【課題】ＥＴＣ車載器の低コスト化のため、ＥＴＣ車載器に搭載されていた表示器を廃止し、音声を用いることが一般的となり、任意の文字や数字を表示してユーザへの情報の提示が困難となった。【解決手段】携帯電話２０からＥＴＣ車載器１０に対して、赤外線Ｉ／Ｆ（８，２８）による通信が確立され、車両がＥＴＣシステムの路側機３４と通信を開始し、ＥＴＣが作動すると、ＥＴＣ制御部３はＩＣカード５に利用情報レコードの書込を行い、利用情報レコードのデータをバイナリー形式からメール形式の文字列情報へ変換して携帯電話２０へ送信する。携帯電話２０は、ＥＴＣ車載器１０からの利用情報を受信すると、アプリケーションサーバ３２へ利用情報レコードのメール送信を行い、メールを受信すると、コード表を用いて可読できる文章に変換すると共に利用履歴データベース３３へデータの蓄積を行う。【選択図】図１
2006053602.tif 000002
【特許請求の範囲】
【請求項１】
料金収受システムの路側機と通信して料金収受を行う車載器と、料金収受に関する利用情報を変換する情報変換サーバと、車載器から利用情報を受信して情報変換サーバに転送し、前記情報変換サーバで変換された利用情報を受信して表示する携帯電話と、を有する車載器利用履歴表示システムであって、
車載器は、
路側機と通信する第１の通信手段と、
携帯電話と通信する第２の通信手段と、
コード化された利用情報を記憶する情報記憶部と、
情報記憶部にコード化されて記憶された利用コード情報を携帯電話へ送信する利用コード情報送信手段と、
を備え、
情報変換サーバは、
携帯電話から受信した利用コード情報を可読できる利用情報に変換する可読変換手段と、
可読できる利用情報を携帯電話に送信する可読情報送信手段と、
を備え、
携帯電話は、
第２の通信手段を用いて利用コード情報を車載器から受信し、前記利用コード情報を情報変換サーバへ送信する利用コード情報転送手段と、
情報変換サーバで変換された可読できる利用情報を受信する可読情報受信手段と、
を備え、
車載器の情報記憶部にコード化されて記憶された利用コード情報を、情報変換サーバで可読できる利用情報に変換し、前記利用情報を携帯電話で表示することを特徴とする車載器利用履歴表示システム。
【請求項２】
請求項１に記載の車載器利用履歴表示システムにおいて、
第２の通信手段は、
赤外線通信又は無線通信若しくは着脱自在なケーブルにより通信を行う通信手段であることを特徴とする車載器利用履歴表示システム。
【請求項３】
請求項１又は２に記載の車載器利用履歴表示システムにおいて、
情報変換サーバは、
変換された前記利用情報を蓄積する利用情報データベースを備えることを特徴とする車載器利用履歴表示システム。
【請求項４】
料金収受システムの路側機と通信して料金収受を行う車載器から利用情報を受信して情報変換サーバに送信し、情報変換サーバで変換された利用情報を受信して表示する携帯電話であって、
通話待受け状態において車載器の料金収受が発生した場合に、車載器からコード化された利用コード情報を取得する利用情報待受け手段と、
車載器から取得した前記利用コード情報を情報変換サーバへ送信する利用コード情報送信手段と、
情報変換サーバで変換された可読できる利用情報を受信する可読情報受信手段と、
を備え、
車載器の利用コード情報を、情報変換サーバを用いて可読できる利用情報に変換して表示することを特徴とする携帯電話。
【請求項５】
料金収受システムの路側機と通信して料金収受を行い、携帯電話に利用情報を送信する車載器であって、
前記利用情報は、利用コードを含み、
コード化された利用情報を数字列又は文字列に変換して携帯電話へメール形式で送信することを特徴とする車載器。
【請求項６】
料金収受システムの路側機と通信して料金収受を行う車載器のコード化された利用情報を携帯電話を介して取得し、前記利用情報を変換する情報変換サーバであって、
前記利用情報を所定のコード表に基づいて可読できる利用情報に変換する可読変換手段を備え、変換された利用情報を携帯電話にメール形式で送信することを特徴とする情報変換サーバ。
【請求項７】
請求項６項に記載の情報変換サーバにおいて、
前記利用情報を蓄積する利用情報データベースと、
Ｗｅｂブラウザーからの表示要求に対して前記利用情報データベースの検索を行う検索手段と、
を備え、
Ｗｅｂブラウザーから表示要求を受信すると利用情報データベースから該当する利用情報を検索し、Ｗｅｂブラウザーへ利用情報を送信することを特徴とする情報変換サーバ。
【請求項８】
請求項６又は７に記載の情報変換サーバにおいて、
予め設定されている地図の上に利用情報データ又は利用ルートを表示した表示データを作成する表示データ作成手段を備え、
Ｗｅｂブラウザーからの要求により表示データをＷｅｂブラウザーへ送信することを特徴とする情報変換サーバ。
【発明の詳細な説明】
【技術分野】
【０００１】
本発明は、有料道路の料金収受システムに用いられる車載器に関し、特に料金及び利用確認を行えるＥＴＣ車載器利用履歴表示システムに関する。
【背景技術】
【０００２】
現在、有料道路等では料金所における渋滞緩和のために車両の通行料金の収受にＥＴＣ（Electronic Toll Collection）システムと呼ばれる有料道路自動料金収受システム（以下、料金収受システムという）が実用化され、料金収受システムに関する情報安全確保規格と識別処理情報が道路システム高度化推進機構(ＯＲＳＥ：Organization for Road System Enhancement)より提供されている。
【０００３】
このＥＴＣシステムでは、有料道路の料金所に設置されたＥＴＣ路側機と、車両に搭載されているＥＴＣ車載器が無線通信による情報のやり取りをして通行した経路の料金に基づき支払いが自動的に行われる。
【０００４】
現在のＥＴＣシステムでは、有料道路の道路設置運営側で課金を行い、１ヶ月後に利用明細が届く仕組みとなっているため、車両の運転者が有料道路の通行中あるいは出口を出た際にこの利用明細におけるそれぞれの詳細な情報を知ることができない。
【０００５】
また、ＥＴＣシステムの利用拡大のためにＥＴＣ車載器の低コスト化が要求され、ＥＴＣ車載器に搭載されていた表示器を廃止し、料金案内には音声を用いることが一般的となっている。また、音声案内はなく、有料道路の通行の可否をブザーで知らせるだけの車載器もある。このため、任意の文字や数字を表示してユーザに料金に関する情報の提示が困難である。このような不具合を解決する技術として特許文献１に示した料金収受システムがある。
【０００６】
図９は従来のＥＴＣシステムの実施の形態を示すブロック図である。車載端末６０は、車両に設置され、カーナビゲーション装置及び携帯無線機で構成することができ、中央演算部５７、携帯電話２０、プリンタ５９、ＥＴＣ受信装置５６、ＧＰＳ受信機５８、カードリーダ５５等のハードウエアと料金決済プログラム等のソフトウエアによって構成されている。
【０００７】
実際の処理は、車両が有料道路のゲート５２に接近すると、通行に基づく料金情報の受信によって予め設定された車両に関する基本情報をＥＴＣシステム５１へ送信する。
【０００８】
さらに、ＥＴＣシステム５１は通信回線又は専用回線を介してホストコンピュータ５３に接続され、ホストコンピュータ５３は、基本情報、カード情報を照合し、決済システム５４に接続して料金情報が示す予定の課金処理を実行する。
【０００９】
この後、ホストコンピュータ５３は、携帯電話２０を介して車載端末６０に通行の利用状況を送信し、プリンタ５９から利用情報を印字出力することで、利用情報の提供を行う。
【００１０】
【特許文献１】特開２００１−３３１８２８号公報
【発明の開示】
【発明が解決しようとする課題】
【００１１】
現在のＥＴＣによる料金収受システムは、車両を停止させずに有料道路の通行料金の収受を行うことを目的とし、ＩＣカードには過去数十件の利用履歴が記録さている。
【００１２】
特に、ＩＣカードには収受した結果の料金所番号、通過時間、課金車種などが記憶されており、ユーザが後から見ることにより有益な情報も含まれているが、現状は料金や時刻の情報の提示までである。
【００１３】
しかし、これらの情報は料金収受システムに組み込まれているため、外部から参照できず、有用な情報を活用して新たなサービスを提供することができないという問題があった。
【００１４】
また、特許文献１に示される携帯電話２０を利用してプリンタ５９から利用情報を印刷する技術では、ＥＴＣ車載器と接続できる車載端末６０及びプリンタ５９を用意する必要があり、ＥＴＣ車載器の小型化と低コスト化を実現できないという問題がある。
【課題を解決するための手段】
【００１５】
以上のような問題を解決するために、本発明に係る車載器利用履歴表示システムは、料金収受システムの路側機と通信して料金収受を行う車載器と、料金収受に関する利用情報を変換する情報変換サーバと、車載器から利用情報を受信して情報変換サーバに転送し、前記情報変換サーバで変換された利用情報を受信して表示する携帯電話と、を有する車載器利用履歴表示システムである。
【００１６】
そして、車載器は、路側機と通信する第１の通信手段と、携帯電話と通信する第２の通信手段と、コード化された利用情報を記憶する情報記憶部と、情報記憶部にコード化されて記憶された利用コード情報を携帯電話へ送信する利用コード情報送信手段と、を備える。
【００１７】
そして、情報変換サーバは、携帯電話から受信した利用コード情報を可読できる利用情報に変換する可読変換手段と、可読できる利用情報を携帯電話に送信する可読情報送信手段と、を備える。
【００１８】
そして、携帯電話は、第２の通信手段を用いて利用コード情報を車載器から受信し、前記利用コード情報を情報変換サーバへ送信する利用コード情報転送手段と、情報変換サーバで変換された可読できる利用情報を受信する可読情報受信手段と、を備え、車載器の情報記憶部にコード化されて記憶された利用コード情報を、情報変換サーバで可読できる利用情報に変換し、前記利用情報を携帯電話で表示することを特徴とする。
【００１９】
また、本発明に係る車載器利用履歴表示システムにおいて、第２の通信手段は、赤外線通信又は無線通信若しくは着脱自在なケーブルにより通信を行う通信手段であることを特徴とする。
【００２０】
さらに、本発明に係る車載器利用履歴表示システムにおいて、情報変換サーバは、変換された前記利用情報を蓄積する利用情報データベースを備えることを特徴とする。
【００２１】
本発明に係る携帯電話は、料金収受システムの路側機と通信して料金収受を行う車載器から利用情報を受信して情報変換サーバに送信し、情報変換サーバで変換された利用情報を受信して表示する携帯電話であって、通話待受け状態において車載器の料金収受が発生した場合に、車載器からコード化された利用コード情報を取得する利用情報待受け手段と、車載器から取得した前記利用コード情報を情報変換サーバへ送信する利用コード情報送信手段と、情報変換サーバで変換された可読できる利用情報を受信する可読情報受信手段と、を備え、車載器の利用コード情報を、情報変換サーバを用いて可読できる利用情報に変換して表示することを特徴とする。
【００２２】
本発明に係る車載器は、料金収受システムの路側機と通信して料金収受を行い、携帯電話に利用情報を送信する車載器であって、前記利用情報は、利用コードを含み、コード化された利用情報を数字列又は文字列に変換して携帯電話へメール形式で送信することを特徴とする。
【００２３】
本発明に係る情報変換サーバは、収受システムの路側機と通信して料金収受を行う車載器のコード化された利用情報を携帯電話を介して取得し、前記利用情報を変換する情報変換サーバであって、前記利用情報を所定のコード表に基づいて可読できる利用情報に変換する可読変換手段を備え、変換された利用情報を携帯電話にメール形式で送信することを特徴とする。
【００２４】
また、本発明に係る情報変換サーバにおいて、前記利用情報を蓄積する利用情報データベースと、Ｗｅｂブラウザーからの表示要求に対して前記利用情報データベースの検索を行う検索手段と、を備え、Ｗｅｂブラウザーから表示要求を受信すると利用情報データベースから該当する利用情報を検索し、Ｗｅｂブラウザーへ利用情報を送信することを特徴とする。
【００２５】
さらに、本発明に係る情報変換サーバにおいて、予め設定されている地図の上に利用情報データ又は利用ルートを表示した表示データを作成する表示データ作成手段を備え、Ｗｅｂブラウザーからの要求により表示データをＷｅｂブラウザーへ送信することを特徴とする。
【発明の効果】
【００２６】
本発明を使用すると、現状は料金や時刻の情報の提示だったものが、ユーザが後から見ることにより有益な情報として提供することが出来ると共に、車載器単体では、料金や時刻の情報のみ提示できなかったが、料金所名や時刻を加えた情報の提示が可能となるという効果がある。
【００２７】
また、ＥＴＣ車載器の大幅なコストアップを伴わず、携帯電話を用いたＥＴＣ車載器利用履歴表示が実現でき、合わせてＥＴＣのホストコンピュータを利用せずに、別に用意したアプリケーションサーバにより、ＥＴＣ利用履歴データを基にしたサービスの提供が可能となるという効果がある。
【発明を実施するための最良の形態】
【００２８】
以下、本発明の実施の形態（以下実施形態という）を、図面に従って説明する。
【実施例１】
【００２９】
図１は、本発明の実施形態におけるＥＴＣ車載器利用履歴表示システムの全体構成を示す構成図である。ＥＴＣ車載器利用履歴表示システムは、ＥＴＣ路側機３４、ＥＴＣ車載器１０、携帯電話２０、携帯基地局３０、インターネット３１、アプリケーションサーバ３２及び利用履歴データベース３３を備えている。
【００３０】
ＥＴＣ車載器１０はＥＴＣアンテナ１から受信した電波を無線部２で変復調し、ＥＴＣ制御部３とＥＴＣ路側機（３４）との通信が可能となる。さらに、ＥＴＣ制御部３は料金情報をユーザに提供するためにスピーカ６と、プログラムとメモリを有する記憶部７と、携帯電話２０と通信する赤外線Ｉ／Ｆ（８）及びＩＣカードＩ／Ｆ（４）を備えている。ＥＴＣ制御部３はＩＣカードＩ／Ｆ（４）を介してＩＣカード５を読書きする。ＩＣカード５には、予めユーザが使用する車両の情報及びクレジット会社の情報等が記録され、さらに、有料道路の通行料金などの利用履歴が利用のたびに記録される。
【００３１】
携帯電話２０は、ＥＴＣ車載器１０と通信する赤外線Ｉ／Ｆ（２８）と、図示しないシリアルポートと、携帯基地局３０と通信する携帯電話アンテナ２１と、無線部２２と、携帯電話制御部２３と、プログラムとメモリを有する記憶部２７と、液晶パネルなどの表示部２４と、プッシュボタン、マイク及びスピーカなどの入出力部２５を備えている。
【００３２】
携帯電話２０と通信する携帯基地局３０は、インターネット３１を介してアプリケーションサーバ３２に接続され、アプリケーションサーバ３２は、ＥＴＣ車載器１０の利用履歴を記憶する利用履歴データベース３３を有している。
【００３３】
次に、利用情報の蓄積処理の概要を説明する。最初に、携帯電話２０からＥＴＣ車載器１０に対して、赤外線Ｉ／Ｆ（８，２８）による通信が確立される。次に、車両がＥＴＣシステムの路側機と通信を開始し、ＥＴＣが作動すると、ＥＴＣ制御部３はＩＣカード５に利用情報レコードの書込を行い、利用情報レコードのデータをバイナリー形式のデータからメール形式の文字列情報へ変換して携帯電話２０へ送信する。
【００３４】
携帯電話２０は、ＥＴＣ車載器１０からの利用情報を受信すると、アプリケーションサーバ３２へ利用情報レコードのメール送信を行う。メールを受信すると、コード表と変換数式を用いて可読できる文章に変換すると共に利用履歴データベース３３へデータの蓄積を行う。もちろん、アプリケーションサーバ３２へアクセスすることで蓄積されたデータの閲覧もＨＴＴＰサーバ機能により可能となっている。
【００３５】
図２は、本発明の第１の実施形態におけるＥＴＣ車載器１０の斜視図である。第１の実施形態のＥＴＣ車載器１０はＥＴＣアンテナ１と本体が一体型のものであり、スピーカ６が上面に配置され、ＩＣカード５と、赤外線Ｉ／Ｆ（８）及び操作ボタンが、フロントパネルに配置されている。さらに、バックパネルには、図示しない電源とシリアルインターフェースが配置されている。
【００３６】
図３は、本発明の第１の実施形態におけるＥＴＣ車載器利用履歴表示システムの構成を示す構成図である。図中右側からハンドル４０、ダッシュボート４１、携帯電話２０、ＥＴＣ車載器１０、ＩＣカード５、バックミラー４４、鍵４３付きのグローブボックス４２である。携帯電話２０とＥＴＣ車載器１０は赤外線Ｉ／Ｆ（８，２８）による通信を行い、ＥＴＣ車載器１０が料金収受の処理後に携帯電話２０に利用情報が送信される。なお、赤外線Ｉ／Ｆ（８，２８）は広い角度で通信を可能とすべく、複数の赤外線送受信器により構成されている。
【００３７】
図６は、本発明の実施形態における携帯電話２０のＥＴＣ待受けモード選択画面と、ＥＴＣ情報表示画面を示すイメージ図である。携帯電話２０にＥＴＣ車載器利用履歴を表示させるために、携帯電話２０を操作して、ＥＴＣ待受けモード選択画面を表示させる。図６（ａ）の画面を表示させた後に、“ＯＮ”ボタンを選択することにより、携帯電話２０の待受けとＥＴＣの待受けが可能なモードに設定される。
【００３８】
もし、ＥＴＣが作動して料金の収受が行われると図６（ｂ）に示すように数々の情報が表示され、アプリケーションサーバ３２の利用履歴データベース３３にも利用情報が記憶される。
【００３９】
図７は、本発明の実施形態におけるＥＴＣ車載器１０に記憶される利用データの形式と、アプリケーションサーバ３２による変換後のデータ形式を示す模式図である。最初に、ＥＴＣ車載器１０のＩＣカード５に記憶されている利用データの形式（ａ）と、本発明の実施形態におけるアプリケーションサーバ３２によるデータ変換後の利用情報メール内容（ｂ）について説明する。
【００４０】
ＩＣカード５には数十から百件分の利用情報を格納可能な利用情報レコードエリアがもうけられている。利用情報レコードは数十バイトのバイナリーで記録されており、記録されるデータは、図７（ａ）に示した入口料金所番号、出口料金所、通過時刻数値、課金車両コードおよび通行料金数値などである。これらのデータは本発明の要部ではないので、データ種の一部のみの例示とした。
【００４１】
これらのデータは、データサイズを小さくすると同時に、今後のデータ拡張に備えたものとなっている。そして、これらのデータをアプリケーションサーバ３２で予め設定されているコード表及び変換数式により（ｂ）に示す利用情報に変換することが可能であり、この文字列（文章）の情報がアプリケーションサーバ３２から携帯電話２０へ送信され、携帯電話２０の表示部２４に表示される。
【００４２】
図４は、本発明に実施形態におけるＥＴＣ車載器利用履歴データの蓄積と表示に関する処理の流れを示すプロセスダイヤグラム図である。図４、図１を用いて利用情報の蓄積処理の流れを説明する。
【００４３】
ＥＴＣ待受けモードが設定されると、携帯電話２０からＥＴＣ車載器１０に対して、赤外線Ｉ／Ｆ（８，２８）による通信が確立される。次に、車両がＥＴＣシステムのＥＴＣ路側機３４と通信を開始し、ＥＴＣが作動すると、ＥＴＣ制御部３はＩＣカード５に利用情報レコードの書込を行い、利用情報レコードのデータをバイナリー形式のデータからメール形式の文字列情報へ変換して携帯電話２０へ送信する（ステップＳ１）。
【００４４】
携帯電話２０は、ＥＴＣ待受け状態であり、ＥＴＣ車載器１０からの利用情報を受信すると、アプリケーションサーバ３２へ図示しないユーザ情報を付加して利用情報レコードのメール送信を行う（ステップＳ２）。
【００４５】
アプリケーションサーバ３２は、携帯電話２０からの利用情報レコードのメール送信を検出すると、コード表と変換数式を用いて可読できる文章に変換すると共に利用履歴データベース３３へデータの蓄積を行う（ステップＳ３）。
【００４６】
次に、可読できる文章に変換された利用情報レコードを携帯電話２０へ送信し、携帯電話２０が表示部に利用情報を表示する（ステップＳ４）。以上で利用情報の蓄積処理が終了し、ＥＴＣの待受けに戻る。
【００４７】
図５は、本発明に実施形態における蓄積されたＥＴＣ車載器利用履歴データを読出して表示する処理の流れを示すプロセスダイヤグラム図である。図５、図１を用いて利用情報の読出し処理の流れを説明する。
【００４８】
最初にユーザが、携帯電話２０を操作して、Ｗｅｂ機能による利用情報の履歴表示を要求するボタン操作を行う（ステップＳ５）。次に、携帯電話２０は、アプリケーションサーバ３２に対して該当する期間の利用情報を利用履歴データベース３３から読出す（ステップＳ６）。その後、読出した利用情報の履歴表示を携帯電話２０の画面に返信して利用情報の履歴表示が実行される（ステップＳ７）。
【００４９】
以上で、利用情報の履歴表示が終了する。なお、携帯電話上で作動するプログラムはＪａｖａ（登録商標）で記述されたプログラムであり、アプリケーションサーバ３２からのダウンロードにより多くの機種で作動させることが可能であるが、Ｊａｖａ（登録商標）でなく、同様のプログラム言語であってもよいし、携帯電話２０固有の機能であってもよい。
【実施例２】
【００５０】
図８は、本発明の第２の実施形態におけるＥＴＣ車載器利用履歴表示システムの構成を示す構成図である。従来からＩＣカード５の盗難が問題となっているため、鍵４３付きのグローブボックス４２にＩＣカードを含む本体を収納し、バックミラー４４付近に、ＥＴＣアンテナ１と赤外線Ｉ／Ｆ（８）及びスピーカ６を別筐体にまとめた実施形態である。
【００５１】
このような構成とすることで、ＩＣカード５の盗難防止に効果がある。また、本発明に係る実施形態ではＥＴＣ車載器１０と携帯電話２０を赤外線Ｉ／Ｆ（８，２８）で接続したが、ＲＳ−２３２Ｃ，ＵＳＢ等のような有線接続による接続でもよいし、無線ＬＡＮ等の無線方式を使用してもよい。
【００５２】
なお、本実施形態において、携帯電話によるＥＴＣ車載器利用履歴表示を説明したが、蓄積した情報は、Ｗｅｂ機能を仕様してＰＤＡまたはパソコンから閲覧することが可能である。図示しない本実施形態において、アプリケーションサーバ３２には、メール機能、Ｗｅｂ機能の他に、有料道路とマップと利用履歴を合わせた表示画像を作成するプログラムをアプリケーションサーバに用意し、ユーザの選択によりマップ情報上に通行した軌跡を示した表示情報を作成し、同様に提供している。
【００５３】
このように、利用履歴データベース３３はユーザそれぞれを識別して管理することで、各ユーザの好みに合わせた利用情報の提供ができ、各利用データはテキスト形式又はＣＳＶ形式に変換して、ユーザが自由に加工することを可能とした。
【００５４】
以上説明したように、本発明を使用すると、現状は料金や時刻の情報の提示だったものが、ユーザが後から見ることにより有益な情報として提供することが出来るという効果がある。
【００５５】
また、特許文献１に示される携帯電話２０を利用してプリンタ５９から利用情報を印刷する技術では、ＥＴＣ車載器と接続できる車載端末６０及びプリンタ５９を用意する必要があったが、ＥＴＣ待受け機能を有する携帯電話と、携帯電話と通信可能なＥＴＣ車載器及び、アプリケーションサーバを用いることで、低コストでユーザにサービスを提供可能となる。
【００５６】
なお、本実施形態ではアプリケーションサーバ３２にて利用情報の変換と履歴の蓄積を行ったが、サービス形態や記憶容量によりＰＤＡ、携帯電話、パーソナル・コンピュータの内部で処理を実行しても好適に実施できることはいうまでもない。
【図面の簡単な説明】
【００５７】
【図１】本発明の実施形態におけるＥＴＣ車載器利用履歴表示システムの全体構成を示す構成図である。
【図２】本発明の第１の実施形態におけるＥＴＣ車載器の斜視図である。
【図３】本発明の第１の実施形態におけるＥＴＣ車載器履歴利用表示装置の構成を示す構成図である。
【図４】本発明に実施形態におけるＥＴＣ車載器利用履歴データの蓄積と表示に関する処理の流れを示すプロセスダイヤグラム図である。
【図５】本発明に実施形態における蓄積されたＥＴＣ車載器利用履歴データを読出して表示する処理の流れを示すプロセスダイヤグラム図である。
【図６】本発明の実施形態における携帯電話のＥＴＣ待受けモード選択画面と、ＥＴＣ情報表示画面を示すイメージ図である。
【図７】本発明の実施形態におけるＥＴＣ車載器に記憶される利用データの形式と、アプリケーションサーバによる変換後のデータ形式を示す模式図である。
【図８】本発明の第２の実施形態におけるＥＴＣ車載器利用履歴表示システムの構成を示す構成図である。
【図９】従来のＥＴＣシステムの実施の形態を示すブロック図である。
【符号の説明】
【００５８】
１  ＥＴＣアンテナ、２，２２  無線部、３  ＥＴＣ制御部、４  ＩＣカードＩ／Ｆ、５  ＩＣカード、６  スピーカ、７，２７  記憶部、８，２８  赤外線Ｉ／Ｆ、１０  ＥＴＣ車載器、２０  携帯電話、２１  携帯電話アンテナ、２３  携帯電話制御部、２４  表示部、２５  入出力部、３０  携帯基地局、３１  インターネット、３２  アプリケーションサーバ、３３  利用履歴データベース、３４  ＥＴＣ路側機、４０  ハンドル、４１  ダッシュボート、４２  グローブボックス、４３  鍵、４４  バックミラー、５１  ＥＴＣシステム、５２  ゲート、５３  ホストコンピュータ、５４  決済システム、５５  カードリーダ、５６  ＥＴＣ受信装置、５７  中央演算部、５８  ＧＰＳ受信機、５９  プリンタ、６０  車載端末。
【図１】
2006053602.tif 000003
【図２】
2006053602.tif 000004
【図３】
2006053602.tif 000005
【図４】
2006053602.tif 000006
【図５】
2006053602.tif 000007
【図６】
2006053602.tif 000008
【図７】
2006053602.tif 000009
【図８】
2006053602.tif 000010
【図９】
2006053602.tif 000011